(57)【要約】【課題】吸込把持部の報知ランプの視認性を向上させた電気掃除機を提供する。【解決手段】掃除機本体（図示せず）に接続されたホース（図示せず）と、前記ホースの他端に接続された吸込把持部５とを備えた電気掃除機（図示せず）において、前記吸込把持部５に、天面６３がフラットで、底面に傾斜面６４を有するレンズ５４と、前記レンズ５４の端部側に位置し、照射方向が使用者側になるよう配置された報知ランプ６０とを備え、前記レンズ５４の天面が前記吸込把持部５の天面と平行になるようにし、且つ、前記傾斜面６４が前記吸込把持部５の前方から後方にかけ、上方に向く様に配置したもので、報知ランプ６０の点灯時にレンズ５４内で全反射した光が使用者の目の方向へ向かうため、視認性が向上し、且つ吸込把持部５の天面がフラットであるため、外観性を損なわない電気掃除機を実現できる。【選択図】図１２
2019013404.tif 000002
【特許請求の範囲】
【請求項１】
電動送風機が内蔵されている掃除機本体と、一端が前記掃除機本体に接続されたホースと、前記ホースの他端に接続された吸込把持部とを備えた電気掃除機において、前記吸込把持部に、天面がフラットで、底面に傾斜面を有するレンズと、前記レンズの端部側に位置し、照射方向が使用者側になるよう配置された報知ランプとを備え、前記レンズの天面が前記吸込把持部の天面と平行になるようにし、且つ、前記傾斜面が前記吸込把持部の前方から後方にかけ、上方に向く様に配置した電気掃除機。
【請求項２】
レンズの底面に、溝形状を徐変させた切欠溝を複数設けたことを特徴とする請求項１に記載の電気掃除機。
【請求項３】
レンズの底面の下に反射板を配置したことを特徴とする請求項１または２に記載の電気掃除機。
【請求項４】
レンズの表面にシボ加工を施したことを特徴とする請求項１〜３のいずれか１項に記載の電気掃除機。
【請求項５】
傾斜面の傾斜により設けられたスペースを活用して、部品間のビス締結をレンズの下部にて行うことを特徴とする請求項１〜４のいずれか１項に記載の電気掃除機。
【発明の詳細な説明】
【技術分野】
【０００１】
本発明は、電気掃除機に関するものである。
【背景技術】
【０００２】
従来の一般的な電気掃除機においては、掃除機本体に接続される掃除機用ホースの吸込把持部上面に報知ランプを有しており、使用者に塵埃吸込を報知ランプ点灯により、視認させる機能がある。
【０００３】
しかしながら、掃除中においては、吸込把持部を前方に傾斜させた状態となるので、吸込把持部上面に設けた報知ランプの視認性が悪い。
【０００４】
このような問題を解決するために、報知ランプを視認するための表示窓を、延長管接続側から把持部側に向かうに従って低くなる傾斜面に設けたものがある（例えば、特許文献１参照）。
【先行技術文献】
【特許文献】
【０００５】
【特許文献１】特開平３−１９５５２８号公報
【発明の概要】
【発明が解決しようとする課題】
【０００６】
しかしながら、上述した特許文献１に記載された従来の電気掃除機は、報知ランプが、吸込把持部に対して直角方向に位置しているため、使用者方向への照射光量が少なく、且つ、点照射であるため、照射範囲が狭く、使用者にとって視認性が悪いという課題があった。さらに、表示窓が傾斜しており、吸込把持部天面に凸部が設けられるため、外観性を損なうという課題もあった。
【０００７】
本発明は、このような従来の課題を解決するもので、吸込把持部に設けられた報知ランプの視認性を向上し、且つ、外観性を損なわない電気掃除機を提供することを目的とする。
【課題を解決するための手段】
【０００８】
上記従来の課題を解決するために、本発明の電気掃除機は、電動送風機が内蔵されている掃除機本体と、一端が前記掃除機本体に接続されたホースと、前記ホースの他端に接続された吸込把持部とを備えた電気掃除機において、前記吸込把持部に、天面がフラットで、底面に傾斜面を有するレンズと、前記レンズの端部側に位置し、照射方向が使用者側になるよう配置された報知ランプとを備え、前記レンズの天面が前記吸込把持部の天面と平行になるようにし、且つ、前記傾斜面が前記吸込把持部の前方から後方にかけ、上方に向く様に配置したもので、報知ランプ点灯時にレンズ内で全反射した光が使用者の目の方向へ向かうため、視認性が向上し、且つ吸込把持部の天面がフラットであるため、外観性を損なわない電気掃除機を実現できる。
【発明の効果】
【０００９】
本発明の電気掃除機は、吸込把持部に設けられた報知ランプの視認性を向上させ、且つ外観性を損なわない電気掃除機を提供することができる。
【図面の簡単な説明】
【００１０】
【図１】本発明の実施の形態１における電気掃除機の右側面図
【図２】同電気掃除機の収納状態時の右側面図
【図３】同電気掃除機の本体裏面斜視図
【図４】同電気掃除機の延長管の斜視図
【図５】同電気掃除機のホース掛止具の斜視図
【図６】同電気掃除機の吸込把持部の斜視図
【図７】同吸込把持部の分解斜視図
【図８】同吸込把持部の断面図
【図９】同吸込把持部の斜視図
【図１０】同吸込把持部と従来品との比較図
【図１１】（ａ）同吸込把持部の第一のカバー体の裏面図、（ｂ）同吸込把持部のグリップ体下の平面図
【図１２】同吸込把持部の報知ランプ及びレンズの詳細図
【発明を実施するための形態】
【００１１】
第１の発明は、電動送風機が内蔵されている掃除機本体と、一端が前記掃除機本体に接続されたホースと、前記ホースの他端に接続された吸込把持部とを備えた電気掃除機において、前記吸込把持部に、天面がフラットで、底面に傾斜面を有するレンズと、前記レンズの端部側に位置し、照射方向が使用者側になるよう配置された報知ランプとを備え、前記レンズの天面が前記吸込把持部の天面と平行になるようにし、且つ、前記傾斜面が前記吸込把持部の前方から後方にかけ、上方に向く様に配置したもので、報知ランプ点灯時にレンズ内で全反射した光が使用者の目の方向へ向かうため、視認性が向上し、且つ吸込把持部の天面がフラットであるため、外観性を損なわない電気掃除機を実現できる。
【００１２】
第２の発明は、特に、第１の発明のレンズの底面に、溝形状を徐変させた切欠溝を複数設けたもので、光が分散し、天面が均一に光るため、照射範囲が拡大し、報知ランプの視認性を向上させた電気掃除機を実現できる。
【００１３】
第３の発明は、特に、第１又は第２の発明のレンズの底面の下に反射板を配置したもので、レンズ底面へ向かう光を反射させ、天面へ向かう光量を増やすことで、視認性を向上させた電気掃除機を実現できる。
【００１４】
第４の発明は、特に、第１〜３のいずれか一つの発明のレンズの表面にシボ加工を施したもので、レンズ表面の光が分散するため、視認性を確保しつつ、ランプ光による目への刺激を低減させた電気掃除機を実現できる。
【００１５】
第５の発明は、特に、第１〜４のいずれか一つの発明の傾斜面の傾斜により設けられたスペースを活用して、部品間のビス締結をレンズの下部にて行うもので、ビスを露出することなく外観性を向上させた電気掃除機を実現できる。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の右側面図、図２は、同電気掃除機の収納状態時の右側面図、図３は、同電気掃除機の本体裏面斜視図、図４は、同電気掃除機の延長管の斜視図、図５は、同電気掃除機のホース掛止具の斜視図、図６は、同電気掃除機の吸込把持部の斜視図、図７は、同吸込把持部の分解斜視図、図８は、同吸込把持部の断面図、図９は、同吸込把持部の斜視図、図１０は、同吸込把持部と従来品との比較図、図１１（ａ）は、同吸込把持部の第一のカバー体の裏面図、図１１（ｂ）は、同吸込把
持部のグリップ体下の平面図、図１２は、同吸込把持部の報知ランプ及びレンズの詳細図である。
【００１８】
以下では、電気掃除機１およびその構成要素（構成部品）の説明に関し、便宜上、図１における左側を正面（先端）側、右側を背面（後端）側、上側を上面（上）側、下側を底面（下）側、手前を右側、奥を左側として説明する。
【００１９】
図１に示すように、本実施の形態における電気掃除機１には、掃除機本体２、ホース３、ホース掛止具４、吸込把持部５、延長管６、床用吸込具７が含まれている。
【００２０】
掃除機本体２は、吸引力を発生させる電動送風機（図示せず）を内蔵するとともに、集塵部（図示せず）が着脱可能に取付けられている。また、掃除機本体２の底面の前面には、被係止部８（図２、３参照）が設けられている。図２に示すように、掃除機本体２の背面を床に付け、正面を天に向けて電気掃除機１を立てて収納する、いわゆるスタンド収納時において、被係止部８は、延長管６を略垂直状態に保つものであり、延長管６に備えられた係止部としてのフック９（図４参照）を嵌め込むための凹部８ａを形成している。
【００２１】
ホース３は、可撓性を有するホース部材２０と、ホース継手１０と吸込把持部５を備えている。ホース継手１０は、管状でホース部材２０の一端に回転可能に連結され、さらに掃除機本体２に着脱可能に接続されており、集塵部（図示せず）と連通している。吸込把持部５はホース部材２０の他端部に回転可能に連結されている。
【００２２】
ホース掛止具４は、ポリプロピレン等の弾性を有する合成樹脂製でホース３に取り付けられる。ホース掛止具４は、図５に示すように、一端に重合係止部１１を、他端に前記重合係止部１１の掛止孔１２に掛止められる掛止フック１３を有し、前記ホース部材２０に巻付固定される環状のホース巻付固定帯体１４と、前記ホース巻付固定帯体１４の外周面に一体成形された掛止部としてホース３の軸方向に突出したフック部１５により構成されている。
【００２３】
さらにホース巻付固定帯体１４の内周面には前記ホース３の外周面に接触して前記ホース巻付固定帯体１４の前記ホース部材２０への巻付保持力を高めるための複数の当りリブ１６を突出形成している。
【００２４】
一方、吸込把持部５の他端には、延長管６が接続され、前記延長管６の先端には床用吸込具７が接続されており、さらに吸込把持部５には電動送風機の電源オン、オフ等使用者が操作を行うための複数のスイッチ５２（図８参照）を備えており、使用者が前記スイッチ５２により電源オン操作を行うと、掃除機本体２内部の電動送風機が駆動し、床用吸込具７の吸込口（図示せず）から吸引風が発生し、床面等に付いている塵埃を吸い取り、延長管６、吸込把持部５、ホース３を介して掃除機本体２内部の集塵部に集塵することが可能になる。
【００２５】
尚、延長管６は、吸込把持部５に対して着脱自在であるため、延長管６を吸込把持部５から外して、吸込把持部５の開口部３０（図７参照）から塵埃を吸い込むことも可能であり、延長管６から床用吸込具７を取り外し、延長管６の開口部６ａから塵埃を吸い込むことも可能である。
【００２６】
次に、吸込把持部５の詳細について図６〜１２を用いて説明する。
【００２７】
図６〜図１２において、吸込把持部５は、手元管２１を有し、塵埃などが通る第一の管体３１と使用者が掃除の際に握るハンドル部３３を構成するグリップ体下３４からなる。
この第一の管体３１は、図８に示すように、延長管６の中心軸線Ａ１と合致する中心軸線Ｂ１を持ち、延長管６の端部に嵌め合わせて接続されるようになっている。また、第一の管体３１は中心軸線Ｂ１と所定の角度をなす中心軸線Ｂ２を持つように屈曲形成された曲がりパイプとなっている。本実施の形態では、中心軸線Ｂ１と中心軸線Ｂ２とのなす角度θ１は２５°としている。
【００２８】
また、第一の管体３１と回転可能に連結される第二の管体３２は、図８に示すように、第一の管体３１の中心軸線Ｂ２と合致する中心軸線Ｃ１を持ち、他端にホース部材２０が接続されるようになっている。グリップ体下３４の後端部には前記ホース掛止具４のフック部１５を着脱自在に嵌め込んで掛止する掛止溝孔１７を備えた被係止部１８を形成している。
【００２９】
そして、第二の管体３２が第一の管体３１に相対回転可能であるように挿入されて、かつ、第一の管体３１と第二の管体３２が適宜手段によって外れぬように連結されて、これによって第二の管体３２が第一の管体３１の中心軸線Ｂ２を基準に回転できるように構成されている。
【００３０】
なお、第一の管体３１と第二の管体３２との抜け止め結合手段は任意によるものを採用可能であるが、本実施の形態では、図８に示すように、第二の管体３２に環状溝３６を設けて、第一の管体３１に第二の管体３２を挿入した後、第一の管体３１の開口３７から抜け止め片３８の一部を環状溝３６に挿入することによって、第一の管体３１と第二の管体３２とが外れぬように連結されている。第二の管体３２の他端にはホース部材２０が接続されるようになっている。また、ホース部材２０を、第二の管体３２に取り付けた外周にはホースカバー３９を設けている。
【００３１】
吸込把持部５の上面は、手元管２１のグリップ体下３４の上方を覆い、手元管２１の屈曲部近傍からホース部材２０側に延長管６の略延長方向に延設された第一のカバー体４０と、手元管２１の屈曲部近傍から延長管６側に延長管６の略延長方向に延設された第二のカバー体４１の２つのカバー体で構成されており、第一のカバー体４０と第二のカバー体４１の間にはギャップ部３５を設けている。
【００３２】
ハンドル部３３を構成している手元管２１のグリップ体下３４の第二の外周面５７（図１１参照）と第一のカバー体４０の第一の外周面５６（図１１参照）の一部または全部を溶着もしくは接着等の方法を使用して固定することにより、ひとつの剛体としている。
【００３３】
さらに、前記グリップ体下３４の第二の補強リブ５９等と第一のカバー体４０の第一の補強リブ５８等の一部または全部を外周面同様に溶着もしくは接着等の方法を使用して固定しても良い。前述の第一のカバー体４０と第二のカバー体４１の間にあるギャップ部３５については、検討した結果、本実施の形態では０．５ｍｍ程度となるように設定されている。
【００３４】
第一のカバー体４０の延長管６側端部には外観面より一段落とし込んだ面を持つ延長部４５があり、この延長部４５が第二のカバー体４１の内側に延びており、第一のカバー体４０と第二のカバー体４１とのギャップ部３５から吸込把持部５の内部が見えることはない。本実施の形態では、カバー体を第一のカバー体４０と第二のカバー体４１の二つに分割している例を示したが、カバー体はさらに分割していてもよい。
【００３５】
本実施の形態では、第一のカバー体４０と延長管６の中心軸線Ａ１とのなす角θ２は３５°となるように設定されている。第一のカバー体４０と前記グリップ体下３４との間には、掃除機本体２の電動送風機の運転・停止や、床用吸込具７の電動機の運転・停止を行
う制御部５０を収納しており、制御部５０を操作するためのスイッチ操作部５１が設けてある。
【００３６】
ハンドル部３３の長さは、従来の電気掃除機におけるハンドル部の長さより約１．５〜２倍の長さを有している。本実施の形態における吸込把持部５との比較に為、従来の吸込把持部１００を図１０示す。
【００３７】
尚、従来の電気掃除機におけるハンドル部の長さとは、一般的にスイッチ操作部の中央位置から吸込把持部１００の先端部までの距離と、スイッチ操作部の中央位置からハンドル部１０１の後端部までの距離がほぼ等しい長さになる様にハンドル長さを設定してあるものを指すものである。
【００３８】
本実施の形態におけるハンドル部３３は、従来のハンドル部１０１の約２倍の長さを有しており、ハンドル部３３の後端に第一のグリップ部４３を、ハンドル部３３の前端に第二のグリップ部４４を夫々有しており、第一のグリップ部４３と第二のグリップ部４４の間にスイッチ操作部５１を配置している。
【００３９】
スイッチ操作部５１は、複数のスイッチ５２から構成されており、スイッチ５２の使用頻度の高い掃除機本体２の電動送風機を制御するスイッチ５２ａより、使用頻度の低い床用吸込具７の電動機スイッチ５２ｂをハンドル部３３の第一のグリップ部４３から遠くに配置している（図９参照）。
【００４０】
次に、図７、図８に示すように、第一の管体３１の延長管６側の上方と第二のカバー体４１との間には、延長管６の給電線（図示せず）に接続した端子（図示せず）を着脱自在に接続する端子（図示せず）と、制御部５０からリード線（図示せず）により給電され、抵抗器（図示せず）と報知ランプ６０を搭載した光制御部５３とを備え、延長管６を第一の管体３１に連結するためのフック体６１をバネ５５により保持している。本実施の形態では、報知ランプ６０は発光素子であるＬＥＤであり、光制御部５３は回路を有する表示基板である。
【００４１】
光制御部５３は、制御部５０から給電される電気信号によって、電気掃除機１が吸引する塵埃の有無、あるいは、吸引する塵埃量の多少を報知ランプ６０で発光、消灯、点滅させるものである。あるいは、電気掃除機１の集塵室（図示せず）に蓄積した塵埃量や運転の異常状態を表現して表示することも可能である。
【００４２】
また、塵埃の有無、あるいは、吸引する塵埃量の多少を測定するために、例えば、ホース継手１０内部に、ゴミセンサ（図示せず）が設けられている。これにより、塵埃の有無、あるいは、吸引する塵埃量の多少を検知し、ゴミセンサに連動して、報知ランプ６０を点灯、消灯、点滅させる。
【００４３】
図１２に示すように、光制御部５３は、第一の管体３１に備えられたリブ２６により、垂直方向に保持され、第二のカバー体４１により挟み込むことで固定される。
【００４４】
また、光制御部５３に搭載された報知ランプ６０の近傍にはレンズ５４が設けられ、レンズ５４は、第二のカバー体４１の凹部４２に挟み込むことで保持されている。
【００４５】
そして、報知ランプ６０からの光は、レンズ５４のレンズ端面６２から入射して、第二のグリップ部４４方向に照射される。
【００４６】
また、レンズ５４は、図９、図１２に示すように、レンズ５４の天面６３が第二のカバ
ー体４１の天面と平行でかつほぼ同一面になるように配置している。さらにレンズ５４の底面側には、傾斜面６４が設けられており、傾斜面６４が吸込把持部５の前方から後方にかけ、上方に向く様に傾斜させている。この傾斜により、設けられたスペースを利用して、レンズ５４下面に、第一の管体３１及び第一のカバー体４０、第二のカバー体４１を締結するビス６６が組み込まれる。これにより、ビス６６を外観に露出させることがないため、外観性が向上する。
【００４７】
また、図８、図１１に示すように、第一の管体３１の屈曲部近傍と第一のカバー体４０との間には、ホース部材２０の給電線から制御部５０へ給電するためのリード線（図示せず）を保持している。上記全てのリード線は、第一の管体３１に備えられたリブ（図示せず）により挟み込むことで保持される。
【００４８】
次に、図１２を用いて上記構成による作用を以下に説明する。
【００４９】
前記報知ランプ６０が発光すると、レンズ５４のレンズ端面６２から入光して、レンズ５４の内部を進みながら、レンズ５４内部の外周面に当った光は反射し、レンズ５４の天面６３へ光が出ていくことになり、ホース３の吸込把持部５を握って操作している使用者から視認できるものである。
【００５０】
光制御部５３の表示状態（例えば、点灯、消灯、点滅）によって、電気掃除機１が吸引している塵埃量の多少を表示し、吸引している塵埃が無ければ掃除操作が不要であることを使用者に認識させて家事労力の削減を図ることができることになるものである。
【００５１】
さらに、レンズ５４の底面に形成した傾斜面６４が前記吸込把持部５の前方から後方にかけ、上方に向く様に配置し、さらに傾斜面６４に、前記吸込把持部５の前方から後方にかけ段階的に深さを深くした凹凸５４ａを設けることで、光源に近い箇所での光の拡散を抑え、光源に遠い箇所での光の拡散を大きくしている。
【００５２】
これにより、レンズ５４の天面６３へ出ていく光が、レンズ５４の天面全体に均一であるため、照射範囲が広く視認性に優れている。なお、レンズ底面に凹凸５４ａの代わりに溝形状を徐変させた切欠溝（図示せず）を複数設けても良い。
【００５３】
さらに、反射板６５をレンズ５４と第二のカバー体４１との間に挟み込むことで、レンズ５４の底面へ抜ける光を反射させ、天面６３へ向かう光量を増やし、視認性を向上させている。加えて、レンズ５４の天面６３にシボ加工を施すことで、天面６３へ向かう光が分散されるため、視認性を確保しつつ、報知ランプ６０の光による目への刺激を低減させることが出来る。また、レンズ５４の天面６３と第二のカバー体４１の天面は平行に位置しているため、外観面がフラットとなり、外観性を損なわない。
【００５４】
この発明は、以上の実施の形態の内容に限定されるものではなく、請求項記載の範囲内において種々の変更が可能である。
【産業上の利用可能性】
【００５５】
本発明に係る電気掃除機は、報知ランプの視認性を向上できるもので、家庭用、業務用を問わず各種電気掃除機に適用することができる。
【符号の説明】
【００５６】
１  電気掃除機
２  掃除機本体
３  ホース
４  ホース掛止具
５  吸込把持部
６  延長管
６ａ、３０  開口部
７  床用吸込具
８、１８  被係止部
８ａ、４２  凹部
９  フック（係止部）
１０  ホース継手
１１  重合係止部
１２  掛止孔
１３  掛止フック
１４  ホース巻付固定帯体
１５  フック部（掛止部）
１６  当りリブ
１７  掛止溝孔
２０  ホース部材
２１  手元管
２６  リブ
３１  第一の管体
３２  第二の管体
３３  ハンドル部
３４  グリップ体下
３５  ギャップ部
３６  環状溝
３７  開口
３８  抜け止め片
３９  ホースカバー
４０  第一のカバー体
４１  第二のカバー体
４３  第一のグリップ部
４４  第二のグリップ部
４５  延長部
５０  制御部
５１  スイッチ操作部
５２、５２ａ  スイッチ
５２ｂ  電動機スイッチ
５３  光制御部
５４  レンズ
５４ａ  凹凸
５５  バネ
５６  第一の外周面
５７  第二の外周面
５８  第一の補強リブ
５９  第二の補強リブ
６０  報知ランプ
６１  フック体
６２  レンズ端面
６３  天面
６４  傾斜面
６５  反射板
６６  ビス
【図１】
2019013404.tif 000003
【図２】
2019013404.tif 000004
【図３】
2019013404.tif 000005
【図４】
2019013404.tif 000006
【図５】
2019013404.tif 000007
【図６】
2019013404.tif 000008
【図７】
2019013404.tif 000009
【図８】
2019013404.tif 000010
【図９】
2019013404.tif 000011
【図１０】
2019013404.tif 000012
【図１１】
2019013404.tif 000013
【図１２】
2019013404.tif 000014